(57)【特許請求の範囲】
【請求項１】
第１の波長のレーザ光に対応する第１の記録層と、
前記第１の波長とは異なる第２の波長のレーザ光に対応する第２の記録層を備え、
前記第１の記録層には、前記第１の波長のレーザ光で再生可能であり、且つ当該第１の記録層に適用されるフォーマットにて、第１のコンテンツ情報と、当該第１のコンテンツ情報の再生を許可する地域を規定するための第１のリージョン情報が記録され、
前記第２の記録層には、前記第２の波長のレーザ光で再生可能であり、且つ当該第２の記録層に適用されるフォーマットにて、第２のコンテンツ情報と、当該第２のコンテンツ情報の再生を許可する地域を規定するための第２のリージョン情報が記録され、
前記第１のリージョン情報と前記第２のリージョン情報は、前記第１のコンテンツ情報と前記第２のコンテンツ情報の仕向地に応じて、互いに異なっており、
さらに、同一内容のコンテンツ情報が前記第１の記録層と前記第２の記録層にそれぞれ記録されている、
ことを特徴とするハイブリッド型光ディスク。
【請求項２】
請求項１に記載のハイブリッド型光ディスクにおいて、
前記第１のリージョン情報と前記第２のリージョン情報は、それぞれ、前記第１の記録層と前記第２の記録層のリードイン領域に記録されている、
ことを特徴とするハイブリッド型光ディスク。
【請求項３】
次世代ＤＶＤ層と、
ＤＶＤ層を備え、
前記次世代ＤＶＤ層には、次世代ＤＶＤ層に対応する波長のレーザ光で再生可能であり、且つ当該次世代ＤＶＤ層に適用されるフォーマットにて、第１のコンテンツ情報と、当該第１のコンテンツ情報の再生を許可する地域を規定するための第１のリージョン情報が記録され、
前記ＤＶＤ層には、ＤＶＤ層に対応する波長のレーザ光で再生可能であり、且つ当該ＤＶＤ層に適用されるフォーマットにて、第２のコンテンツ情報と、当該第２のコンテンツ情報の再生を許可する地域を規定するための第２のリージョン情報が記録され、
前記第１のリージョン情報と前記第２のリージョン情報は、前記第１のコンテンツ情報と前記第２のコンテンツ情報の仕向地に応じて、互いに異なっており、
さらに、同一内容のコンテンツ情報が前記次世代ＤＶＤ層と前記ＤＶＤ層にそれぞれ記録されている、
ことを特徴とするハイブリッド型光ディスク。  
【請求項４】
請求項３に記載のハイブリッド型光ディスクにおいて、
前記第１のリージョン情報と前記第２のリージョン情報は、それぞれ、前記次世代ＤＶＤ層と前記ＤＶＤ層のリードイン領域に記録されている、
ことを特徴とするハイブリッド型光ディスク。
【請求項５】
第１の波長のレーザ光に対応する第１の記録層を、樹脂成型器を用いて生成する第１の記録層生成ステップと、
前記第１の波長とは異なる第２の波長のレーザ光に対応する第２の記録層を、樹脂成型器を用いて生成する第２の記録層生成ステップを備え、
前記第１の記録層生成ステップは、第１のコンテンツ情報と、当該第１のコンテンツ情報の再生を許可する地域を規定するための第１のリージョン情報を、前記第１の波長のレーザ光で再生可能であり、且つ前記第１の記録層に適用されるフォーマットにて保持する第１のスタンパを用いて樹脂成型を行うステップを含み、
前記第２の記録層生成ステップは、第２のコンテンツ情報と、当該第２のコンテンツ情報の再生を許可する地域を規定するための第２のリージョン情報を、ＤＶＤ層に対応する波長のレーザ光で再生可能であり、且つ前記第２の記録層に適用されるフォーマットにて保持する第２のスタンパを用いて樹脂成型を行うステップを含み、
前記第１の記録層生成ステップにて使用される前記第１のスタンパは、リージョン情報が相違するスタンパ群の中から前記第１のコンテンツ情報の仕向け地に応じたスタンパが選択され、
前記第２の記録層生成ステップにて使用される前記第２のスタンパは、リージョン情報が相違するスタンパ群の中から前記第２のコンテンツ情報の仕向け地に応じたスタンパが選択され、
前記第１のスタンパと前記第２のスタンパは、それぞれ、同一内容のコンテンツ情報を保持する前記第１のスタンパ用のスタンパ群と前記第２のスタンパ用のスタンパ群の中から選択される、
ことを特徴とするハイブリッド型光ディスクの製造方法。
【請求項６】
請求項５に記載のハイブリッド型光ディスクの製造方法において、
前記第１のスタンパと前記第２のスタンパは、それぞれ、リードイン領域に前記リージョン情報を保持している、
ことを特徴とするハイブリッド型光ディスクの製造方法。
【請求項７】
樹脂成型器を用いて次世代ＤＶＤ層を生成する第１の記録層生成ステップと、
樹脂成型器を用いてＤＶＤ層を生成する第２の記録層生成ステップを備え、
前記第１の記録層生成ステップは、第１のコンテンツ情報と、当該第１のコンテンツ情報の再生を許可する地域を規定するための第１のリージョン情報を、次世代ＤＶＤ層に対応する波長のレーザ光で再生可能であり、且つ前記次世代ＤＶＤ層に適用されるフォーマットにて保持する第１のスタンパを用いて樹脂成型を行うステップを含み、
前記第２の記録層生成ステップは、第２のコンテンツ情報と、当該第２のコンテンツ情報の再生を許可する地域を規定するための第２のリージョン情報を、ＤＶＤ層に対応する波長のレーザ光で再生可能であり、且つ前記ＤＶＤ層に適用されるフォーマットにて保持する第２のスタンパを用いて樹脂成型を行うステップを含み、
前記第１の記録層生成ステップにて使用される前記第１のスタンパは、リージョン情報が相違するスタンパ群の中から前記第１のコンテンツ情報の仕向け地に応じたスタンパが選択され、
前記第２の記録層生成ステップにて使用される前記第２のスタンパは、リージョン情報が相違するスタンパ群の中から前記第２のコンテンツ情報の仕向け地に応じたスタンパが選択され、
前記第１のスタンパと前記第２のスタンパは、それぞれ、同一内容のコンテンツ情報を保持する前記第１のスタンパ用のスタンパ群と前記第２のスタンパ用のスタンパ群の中から選択される、
ことを特徴とするハイブリッド型光ディスクの製造方法。
【請求項８】
請求項７に記載のハイブリッド型光ディスクの製造方法において、
前記第１のスタンパと前記第２のスタンパは、それぞれ、リードイン領域に前記リージョン情報を保持している、
ことを特徴とするハイブリッド型光ディスクの製造方法。
【発明の詳細な説明】
【技術分野】
【０００１】
本発明は、波長の異なるレーザ光に対応する複数の記録層が積層方向に配されたハイブリッド型光ディスクおよびその製造方法に関するものである。
【背景技術】
【０００２】
現在、波長６５０ｎｍ程度の赤色レーザ光を用いた再生専用型ＤＶＤ（Digital Versatile Disc）が商品化され広く普及している。かかるＤＶＤには、当該ＤＶＤの再生を許可する地域を規定するためのリージョン情報を保持させることができる。かかるリージョン情報は、もともと、映画製作者からの要請により準備されたものである。すなわち、映画の劇場公開時期が国毎に相違することから、ある国において劇場未公開のコンテンツを有するＤＶＤがその国で流通しても当該ＤＶＤを再生できないようにするために、リージョン情報によって、当該ＤＶＤの再生の可否を地域毎に管理しようとするものである。
【０００３】
ＤＶＤプレーヤには、それぞれ地域コードが付与されている。この地域コードと、装着されたＤＶＤのリージョン情報とが一致する場合にのみ、当該ＤＶＤをそのプレーヤにて再生することができる。民生用のＤＶＤプレーヤでは、基本的に、一つのフォーマットに対して一つの地域コードしか保持され得ない。
【０００４】
なお、以下の特許文献１には、脱着型の地域データ保持手段をプレーヤに装着することにより、プレーヤが地域を移動した場合にも、その地域をリージョン情報として指定したＤＶＤを再生できるようにすることが記載されている。
【０００５】
ところで、最近、波長４０５ｎｍ程度の青色レーザ光を用いた次世代ＤＶＤの規格化が進められている。かかる規格化においては、青色レーザ光に対応する記録層（以下、“ＨＤＤＶＤ層”という）と、赤色レーザ光に対応する記録層（以下、“ＤＶＤ層”という）の２つの記録層を積層方向に配することが検討されている。さらに、３層以上の記録層が一つのディスク中に配される可能性もある。ＨＤＤＶＤ層とＤＶＤ層にはそれぞれ、次世代ＤＶＤ規格およびＤＶＤ規格に則ったフォーマットにてデータが記録される。
【特許文献１】特開２００４−１８５７２４号公報
【発明の開示】
【発明が解決しようとする課題】
【０００６】
次世代ＤＶＤが商品化された場合、その普及速度は、通常、国毎に相違する。今後、次世代ＤＶＤが世界中に広まって行ったとしても、国によっては、未だ、次世代ＤＶＤを再生するプレーヤの普及状態が十分でない場合が想定される。この場合、その国に対しては、主としてＤＶＤにてコンテンツを流通させることとなる。したがって、ディスク製造メーカは、同じコンテンツであっても、国毎の普及状態に応じて、ＤＶＤと次世代ＤＶＤの２系統のディスクを準備しなければならない。この場合、ディスク製造メーカは、ＤＶＤと次世代ＤＶＤの２種類の在庫を備えておく必要があり、また、製造ラインも２系統準備して適宜、各ラインの稼動状態をコントロールしなければならなくなる。
【０００７】
加えて、著作権保護の観点から、著作権保護が不明確な地域には、ＨＤ（High Definition）画像等のハイクオリティコンテンツの供給を行わずに、ＳＤ（Standard Definition）画像のコンテンツのみを供給するといった、コンテンツホルダーの意向も想定される。この場合、コンテンツホルダーの意向に応じて、機動的に、次世代ＤＶＤとＤＶＤの切り分けとそれらの仕向け地の設定を行えるようにする必要がある。
【０００８】
本発明は、このような課題に対応するためになされたものであり、ディスク製造メーカにおけるディスク製造管理コストおよび設備コストを低減させながら、各国におけるプレーヤの普及状態やコンテンツホルダーの意向に機動的に対応したコンテンツ提供を実現することを課題とする。
【課題を解決するための手段】
【０００９】
上記課題に鑑み本発明は、それぞれ以下の特徴を有する。
【００１０】
本発明の第１の局面は、ハイブリッド型光ディスクにおいて、第１の波長のレーザ光に対応する第１の記録層と、前記第１の波長とは異なる第２の波長のレーザ光に対応する第２の記録層を備え、前記第１の記録層には、前記第１の波長のレーザ光で再生可能であり、且つ当該第１の記録層に適用されるフォーマットにて、第１のコンテンツ情報と、当該第１のコンテンツ情報の再生を許可する地域を規定するための第１のリージョン情報が記録され、前記第２の記録層には、前記第２の波長のレーザ光で再生可能であり、且つ当該第２の記録層に適用されるフォーマットにて、第２のコンテンツ情報と、当該第２のコンテンツ情報の再生を許可する地域を規定するための第２のリージョン情報が記録され、前記第１のリージョン情報と前記第２のリージョン情報は、前記第１のコンテンツ情報と前記第２のコンテンツ情報の仕向地に応じて、互いに異なっており、さらに、同一内容のコンテンツ情報が前記第１の記録層と前記第２の記録層にそれぞれ記録されていることを特徴とする。
【００１１】
本発明の第２の局面は、ハイブリッド型光ディスクディスクにおいて、次世代ＤＶＤ層と、ＤＶＤ層を備え、前記次世代ＤＶＤ層には、次世代ＤＶＤ層に対応する波長のレーザ光で再生可能であり、且つ当該次世代ＤＶＤ層に適用されるフォーマットにて、第１のコンテンツ情報と、当該第１のコンテンツ情報の再生を許可する地域を規定するための第１のリージョン情報が記録され、前記ＤＶＤ層には、ＤＶＤ層に対応する波長のレーザ光で再生可能であり、且つ当該ＤＶＤ層に適用されるフォーマットにて、第２のコンテンツ情報と、当該第２のコンテンツ情報の再生を許可する地域を規定するための第２のリージョン情報が記録され、前記第１のリージョン情報と前記第２のリージョン情報は、前記第１のコンテンツ情報と前記第２のコンテンツ情報の仕向地に応じて、互いに異なっており、さらに、同一内容のコンテンツ情報が前記次世代ＤＶＤ層と前記ＤＶＤ層にそれぞれ記録されている、ことを特徴とする。
【００１２】
本発明の第３の局面は、ハイブリッド型光ディスクの製造方法において、第１の波長のレーザ光に対応する第１の記録層を、樹脂成型器を用いて生成する第１の記録層生成ステップと、前記第１の波長とは異なる第２の波長のレーザ光に対応する第２の記録層を、樹脂成型器を用いて生成する第２の記録層生成ステップを備え、前記第１の記録層生成ステップは、第１のコンテンツ情報と、当該第１のコンテンツ情報の再生を許可する地域を規定するための第１のリージョン情報を、前記第１の波長のレーザ光で再生可能であり、且つ前記第１の記録層に適用されるフォーマットにて保持する第１のスタンパを用いて樹脂成型を行うステップを含み、前記第２の記録層生成ステップは、第２のコンテンツ情報と、当該第２のコンテンツ情報の再生を許可する地域を規定するための第２のリージョン情報を、ＤＶＤ層に対応する波長のレーザ光で再生可能であり、且つ前記第２の記録層に適用されるフォーマットにて保持する第２のスタンパを用いて樹脂成型を行うステップを含み、前記第１の記録層生成ステップにて使用される前記第１のスタンパは、リージョン情報が相違するスタンパ群の中から前記第１のコンテンツ情報の仕向け地に応じたスタンパが選択され、前記第２の記録層生成ステップにて使用される前記第２のスタンパは、リージョン情報が相違するスタンパ群の中から前記第２のコンテンツ情報の仕向け地に応じたスタンパが選択され、前記第１のスタンパと前記第２のスタンパは、それぞれ、同一内容のコンテンツ情報を保持する前記第１のスタンパ用のスタンパ群と前記第２のスタンパ用のスタンパ群の中から選択されることを特徴とする。
【００１３】
本発明の第４の局面は、ハイブリッド型光ディスクの製造方法において、樹脂成型器を用いて次世代ＤＶＤ層を生成する第１の記録層生成ステップと、樹脂成型器を用いてＤＶＤ層を生成する第２の記録層生成ステップを備え、前記第１の記録層生成ステップは、第１のコンテンツ情報と、当該第１のコンテンツ情報の再生を許可する地域を規定するための第１のリージョン情報を、次世代ＤＶＤ層に対応する波長のレーザ光で再生可能であり、且つ前記次世代ＤＶＤ層に適用されるフォーマットにて保持する第１のスタンパを用いて樹脂成型を行うステップを含み、前記第２の記録層生成ステップは、第２のコンテンツ情報と、当該第２のコンテンツ情報の再生を許可する地域を規定するための第２のリージョン情報を、ＤＶＤ層に対応する波長のレーザ光で再生可能であり、且つ前記ＤＶＤ層に適用されるフォーマットにて保持する第２のスタンパを用いて樹脂成型を行うステップを含み、前記第１の記録層生成ステップにて使用される前記第１のスタンパは、リージョン情報が相違するスタンパ群の中から前記第１のコンテンツ情報の仕向け地に応じたスタンパが選択され、前記第２の記録層生成ステップにて使用される前記第２のスタンパは、リージョン情報が相違するスタンパ群の中から前記第２のコンテンツ情報の仕向け地に応じたスタンパが選択され、前記第１のスタンパと前記第２のスタンパは、それぞれ、同一内容のコンテンツ情報を保持する前記第１のスタンパ用のスタンパ群と前記第２のスタンパ用のスタンパ群の中から選択されることを特徴とする。
【発明の効果】
【００１４】
本発明によれば、各記録層に保持されたコンテンツ情報の仕向地がリージョン情報によって切り分けられる。すなわち、一枚のハイブリッド型光ディスク内に、複数の仕向地に対応するコンテンツが保持される。このため、ディスク製造メーカは、複数の仕向地に対して１種類のディスクを製造するだけで済む。製造されたディスクは、需要に応じた数量だけ、各コンテンツの仕向け地に向けて提供される。
【００１５】
本発明によれば、ＤＶＤと次世代ＤＶＤの２種類の在庫を備えておく必要はなく、また、コンテンツ情報の仕向地を変更する場合には、適宜スタンパを取り替えるだけで済むため、製造ラインをＤＶＤ用と次世代ＤＶＤ用の２系統準備して、各ラインの稼動状態をコントロールする手間も要されない。したがって、本発明によれば、ディスク製造メーカのディスク製造管理コストおよび設備コストを効果的に低減させることができる。また、コンテンツホルダーの意向に応じて、機動的に、コンテンツのクオリティレベルと仕向け地を設定することができる。
【００１６】
本発明の特徴ないし効果は、以下に示す実施形態の説明によって更に明らかとなろう。ただし、以下の実施形態は、あくまでも、本発明の一つの実施形態であって、本発明ないし各構成要件の用語の意義は、以下の実施の形態に記載されたものに制限されるものではない。
【発明を実施するための最良の形態】
【００１７】
以下、本発明の実施形態につき図面を参照して説明する。
【００１８】
図１に、ハイブリッド型の次世代ＤＶＤ（再生専用タイプ）の構造を示す。
【００１９】
ハイブリッド型次世代ＤＶＤ１は、片面にＨＤＤＶＤ層（第１の記録層）１２が形成された基板１１と、片面にＤＶＤ層（第２の記録層）１４が形成された基板１３を、接着層１５によって貼り合わせ、さらに基板１１の反対側の面に印刷層１６を形成した構造となっている。レーザ光は、基板１３側から入射される。ＨＤＤＶＤ層１２とＤＶＤ層１４には螺旋状にピット列が形成されている。
【００２０】
ＤＶＤ層１４のフォーマットは、ＤＶＤ規格に従ったものとなっている。なお、ＤＶＤ層１４のリードイン情報には、ＨＤＤＶＤ層１２が存在することを示す情報は含まれていない。ＤＶＤ層１４は、波長４０５ｎｍ程度の青色レーザ光と波長６５５ｎｍ程度の赤色レーザ光をそれぞれ規定された割合にて透過および反射する。
【００２１】
ＨＤＤＶＤ層のフォーマットは、次世代ＤＶＤ規格に従ったものとなっている。ＨＤＤＶＤ層１２のリードイン情報にも、ＤＶＤ層１４が存在することを示す情報は含まれていない。ＨＤＤＶＤ層１２は、青色レーザ光を規定された反射率にて反射するが、赤色レーザ光はほぼ全透過するような材料にて形成されている。このため、ＨＤＤＶＤ層１２は、既存のＤＶＤプレーヤによっては検出されない。
【００２２】
図２に、ハイブリッド型次世代ＤＶＤのエリアフォーマットを示す。
【００２３】
図示の如く、ＨＤＤＶＤ層１２とＤＶＤ層１４は、それぞれ、ディスク内周側から順に、リードインエリア、データエリア、リードアウトエリアに分割されている。このうち、リードインエリアには、制御情報の一つとして、リージョン情報が保持されている。上述の如く、リージョン情報は、各記録層の再生を許可する地域を規定するための情報である。かかるリージョン情報は、各記録層のデータエリアに保持されたコンテンツ情報の仕向地に応じて、製造メーカによって、記録層毎に設定される。
【００２４】
なお、同図の場合、データエリアには、同一プログラムのコンテンツ情報（コンテンツＡ）が保持されている。たとえば、ＨＤＤＶＤ層１２には、ハイビジョンバージョンのコンテンツＡが保持され、ＤＶＤ層１４には、ノーマルバージョンのコンテンツＡが保持されている。
【００２５】
図３に、ハイブリッド型次世代ＤＶＤの製造工程（製造ライン）を示す。
【００２６】
まず、仕向地に応じたリージョン情報を有するスタンパが、ＨＤＤＶＤ用の樹脂成型器とＤＶＤ用の樹脂成型器にそれぞれセットされる。本実施の形態では、各スタンパには、同一プログラムのコンテンツ情報（コンテンツＡ）が保持されている。各スタンパのリージョン情報は、コンテンツ情報の仕向地に応じて相違している。図３の場合、ＨＤＤＶＤ用の樹脂成型器には地域Ｂを仕向地とするスタンパがセットされ、ＤＶＤ用の樹脂成型器には地域Ｃを仕向地とするスタンパがセットされる。
【００２７】
しかる後、それぞれのスタンパを用いながら、ＨＤＤＶＤ用樹脂成型器とＤＶＤ用樹脂成型器によってスタンパの情報が転写されたディスク基板が形成され、さらに、各基板の転写面上に反射層がスパッタリングにより形成される。そして、反射層側が向き合うようにして、各ディスク基板が貼り合わされる。さらに、ＨＤＤＶＤ層側ディスク表面に印刷層が形成される。印刷層には、各記録層の仕向地に応じたディスク情報が印刷される。これにより、ＨＤＤＶＤ層とＤＶＤ層のコンテンツ情報の仕向地がそれぞれ仕向地Ｂおよび仕向地Ｃとされたハイブリッド型次世代ＤＶＤが製造される。
【００２８】
各コンテンツ情報の仕向地を変更する場合には、樹脂成型器にセットするスタンパを取り替えればよい。たとえば、ＨＤＤＶＤ層に保持されるコンテンツ情報の仕向地を地域Ｂから仕向地Ａに変更する場合は、ＨＤＤＶＤ用樹脂成型器にセットされるスタンパを、地域Ａを仕向地とするスタンパに取り替える。これにより、ＨＤＤＶＤ用樹脂成型器によって、このスタンパの情報が転写されたディスク基板が形成される。このディスク基板は、反射層がスパッタ形成された後、ＤＶＤ層側の工程にて生成されたディスク基板（仕向地Ｃ）に貼り合わされる。これにより、ＨＤＤＶＤ層とＤＶＤ層のコンテンツ情報の仕向地がそれぞれ仕向地Ａおよび仕向地Ｃとされたハイブリッド型次世代ＤＶＤが製造される。
【００２９】
図４および図５に、上記の如くして生成されたハイブリッド型次世代ＤＶＤを既存のＤＶＤプレーヤ、次世代ＤＶＤ専用プレーヤおよびＤＶＤ／次世代ＤＶＤ互換型プレーヤに装着した場合の再生処理フローを示す。
【００３０】
まず、図４（ａ）を参照して、かかるハイブリッド型次世代ＤＶＤが既存のＤＶＤプレーヤに装着された場合には、プレーヤ内のレーザ（赤色）が点灯され（Ｓ１０１）、記録層に対するフォーカスサーチが行われる（Ｓ１０２）。この場合、ハイブリッド型次世代ＤＶＤのＨＤＤＶＤ層１２は赤色レーザ光によっては検出されないため、装着されたディスクは単一記録層のディスクとして取り扱われる。そして、最初の記録層（ＤＶＤ層１４）に対する引き込み動作が行われ（Ｓ１０３）、リードイン情報が取得される（Ｓ１０４）。さらに、リードイン情報中にあるリージョン情報が、当該プレーヤに付与された地域コードと比較され、両者が一致するかが判別される（Ｓ１０５）。ここで、両者が一致しなければ（Ｓ１０５：Ｎ）、再生不可（エラー）とされる。一致すれば（Ｓ１０５：Ｙ）、この記録層（ＤＶＤ層１４）に保持されたコンテンツ情報が再生される（Ｓ１０６）。
【００３１】
次に、図４（ｂ）を参照して、かかるハイブリッド型次世代ＤＶＤが次世代ＤＶＤ専用プレーヤに装着された場合には、プレーヤ内のレーザ（青色）が点灯され（Ｓ２０１）、記録層に対するフォーカスサーチが行われる（Ｓ２０２）。この場合、ＨＤＤＶＤ層１２とＤＶＤ層１４は何れも青色レーザ光によって検出されるため、装着されたディスクは２つの記録層を有するディスクとして取り扱われる。
【００３２】
しかる後、まず、最初の記録層（ＤＶＤ層１４）に対する引き込み動作が行われるが（Ｓ２０３）、最初の記録層は、ＤＶＤ規格に従うフォーマットとなっているため、復調不可とされる（Ｓ２０４）。このため、次の記録層（ＨＤＤＶＤ層１２）に対する引き込み動作に移行される（Ｓ２０５）。そして、かかる引き込み動作の後、ＨＤＤＶＤ層１２のリードイン情報が読み取られ（Ｓ２０６）、その中にあるリージョン情報が、当該プレーヤに付与された地域コードと比較される（Ｓ２０７）。ここで、両者が一致しなければ（Ｓ２０７：Ｎ）、再生不可（エラー）とされる。両者が一致すれば（Ｓ２０７：Ｙ）、この記録層（ＨＤＤＶＤ層１２）に保持されたコンテンツ情報が再生される（Ｓ２０８）。
【００３３】
図５を参照して、かかるハイブリッド型次世代ＤＶＤがＤＶＤ／次世代ＤＶＤ互換型プレーヤに装着された場合には、まず、ディスク判別処理が行われる（Ｓ３０１）。かかるディスク判別は、たとえば、当該ディスクに対して赤色レーザ光と青色レーザ光を順次照射しながら各層に対する引き込みと読み取り可否の判別を行い、その結果から、当該ディスクに含まれるＤＶＤ層とＨＤＤＶＤ層の層数を検出することによって行われる。
【００３４】
かかるディスク判別にて、装着されたディスクがハイブリッド型次世代ＤＶＤであると判別されると、まず、青色レーザ光を用いながら（Ｓ３０２）、奥側の記録層（ＨＤＤＶＤ層１２）に対する引き込み動作が行われる（Ｓ３０３）。かかる引き込み動作の後、ＨＤＤＶＤ層１２のリードイン情報が読み取られ（Ｓ３０４）、その中にあるリージョン情報が、当該プレーヤに付与された地域コードと比較される（Ｓ３０５）。ここで、両者が一致すれば（Ｓ３０５：Ｙ）、この記録層（ＨＤＤＶＤ層１２）に保持されたコンテンツ情報が再生される（Ｓ３０６）。
【００３５】
他方、両者が一致しなければ（Ｓ３０５：Ｎ）、点灯レーザが赤色レーザに切り替えられ（Ｓ３０７）、手前の記録層（ＤＶＤ層１４）に対する引き込み動作が行われる（Ｓ３０８）。かかる引き込み動作の後、ＤＶＤ層１２のリードイン情報が読み取られ（Ｓ３０９）、その中にあるリージョン情報が、当該プレーヤに付与された地域コードと比較される（Ｓ３１０）。ここで、両者が一致すれば（Ｓ３１０：Ｙ）、この記録層（ＤＶＤ層１２）に保持されたコンテンツ情報が再生される（Ｓ３１１）。両者が一致しなければ（Ｓ３１０：Ｎ）、再生不可（エラー）とされる。
【００３６】
以上、本発明に係る実施の形態について説明したが、本発明は、上記実施の形態に限定されるものではなく、他に種々の変更が可能である。
【００３７】
たとえば、上記実施の形態では、ＨＤＤＶＤ層とＤＶＤ層を１層ずつ有するハイブリッド型ディスクを示したが、本発明は、ＨＤＤＶＤ層とＤＶＤ層に限らず、異なる波長のレーザ光に対応した複数の記録層が配されたハイブリッド型ディスクおよびその製造方法に適用可能なものである。
【００３８】
なお、各波長に対応した記録層の層数は１層ずつに限らず、複数層ずつ配置されるものであってもよい。この場合、リージョン情報は、コンテンツ情報毎に付加される。たとえば、ＤＶＤ層が１層、ＨＤＤＶＤ層が２層配されており、ＨＤＤＶＤ層には２層に亘って１つのコンテンツ情報が保持されている場合には、リージョン情報は、ＤＶＤ層とＨＤＤＶＤ層にそれぞれ１つずつ付加される。また、ＤＶＤ層が１層、ＨＤＤＶＤ層が２層配されており、ＨＤＤＶＤ層にはそれぞれに１つずつコンテンツ情報が保持されている場合には、リージョン情報は、ＤＶＤ層と、ＨＤＤＶＤ層の１層目、２層目にそれぞれ１つずつ付加される。
【００３９】
さらに、上記実施の形態では、リードインエリアにリージョン情報を保持させるとしたが、たとえば、ＢＣＡ（Burst Cutting Area）やデータ領域等、リードインエリア以外のエリアにリージョン情報を保持させるようにすることもできる。また、リージョン情報を保持させるエリアも１ヶ所である必要はなく、リードインエリア、ＢＣＡおよびデータ領域等のうち複数の箇所にリージョン情報を保持させるようにしても良い。
【００４０】
また、リージョン情報は、単純なｂｉｔデータとされ得るが、さらに、リージョン情報を暗号化キーの一つとして取り扱うこともでき、また、データを暗号化する際の一つのキーとすることもできる。
【００４１】
また、ＤＶＤ層とＨＤＤＶＤ層で異なったエリアにリージョン情報を保持させるようにしても良い。たとえば、ＤＶＤ層では、データ領域内の、アドレスデータより作成するデータに、リージョン情報を付加し、ＨＤＤＶＤ層では、データを暗号化する際に用いる暗号化キーの一つとしてリージョン情報を取り込むようにする方法をとることができる。
【００４２】
なお、暗号化キーとしてリージョン情報を取り込む場合には、たとえば、０００００００１のデータとリージョンコードを示す１００１００００（地域１と４を許可）との和をとって１００１０００１を生成し、これをデータとして記録層に書き込む等の方法をとることができる。
【００４３】
また、本発明は、ＤＶＤ層とＨＤＤＶＤ層を有するハイブリッド型ディスクに限らず、他のフォーマットによる記録層の組み合わせによるハイブリッド型ディスクにも適用可能である。たとえば、上記実施の形態では、ＨＤＤＶＤ層を例示したが、これに代えて、ブルーレイディスクフォーマットに従う記録層を有するハイブリッド型ディスクとすることもできる。本発明は、複数の記録層に複数のフォーマットにてリージョン情報を保持するハイブリッドディスクに適用可能である。
【００４４】
この他、本発明の実施形態は、特許請求の範囲に示された技術的思想の範囲内において、適宜、種々の変更が可能である。
【図面の簡単な説明】
【００４５】
【図１】実施の形態に係る光ディスクの構成を示す図。
【図２】実施の形態に係る光ディスクのエリアフォーマットを示す図。
【図３】実施の形態に係る光ディスクの製造工程を示す図。
【図４】実施の形態に係るディスク再生時の処理フローチャート。
【図５】実施の形態に係るディスク再生時の処理フローチャート。
【符号の説明】
【００４６】
１  ハイブリッド型次世代ＤＶＤ
【図１】
0004641975.tif 000002
【図２】
0004641975.tif 000003
【図３】
0004641975.tif 000004
【図４】
0004641975.tif 000005
【図５】
0004641975.tif 000006